(57)【要約】    【課題】      セルサーチに要する演算量を削減するマルチキャリア送信装置、マルチキャリア受信装置及び同期検出方法を提供すること。    【解決手段】  ＰＬＣＨが配置されるフレーム末尾部分の２Ｎサブキャリアのうち前半Ｎサブキャリアをフレーム同定用として、相関値検出部２０６が、前半Ｎサブキャリアの受信シンボル系列と、１シンボル周期分遅延させた前半Ｎサブキャリアの受信シンボル系列との間において、相関値を検出し、最大相関値が検出されたタイミングをフレームタイミング検出部２０７がフレームタイミングとして検出する。そして、ＰＬＣＨが配置されるフレーム末尾部分の２Ｎサブキャリアのうち、後半Ｎサブキャリアをグループ同定用として、相関値検出部２１０がグループコード記憶部２０９に記憶されている全てのグループコードと、グループ同定用のシンボル系列との相関をとり、最大相関値に基づいてスクランブルコードを同定する。  【選択図】      図５
2006074244.tif 000002
【特許請求の範囲】
【請求項１】
セルを識別するスクランブルコードを送信フレームに乗算するスクランブリング手段と、
予めスクランブルコードがグループ分けされ、前記スクランブリング手段で用いられたスクランブルコードのグループを同定するグループコードを、パイロット信号が配置される一シンボル周期分のサブキャリアのうち、半分のサブキャリアに配置されるパイロット信号に付加するグループコード付加手段と、
前記グループコード付加手段によってグループコードが付加されたパイロット信号を含むマルチキャリア信号を送信する送信手段と、
を具備することを特徴とするマルチキャリア送信装置。
【請求項２】
前記グループコード付加手段は、パイロット信号が配置される一シンボル周期分のサブキャリアのうち、前半分又は後半分のサブキャリアに配置されるパイロット信号にグループコードを付加することを特徴とする請求項１に記載のマルチキャリア送信装置。
【請求項３】
前記グループコード付加手段は、パイロット信号が配置される一シンボル周期分のサブキャリアのうち、１本又は複数本間隔のサブキャリアに配置されるパイロット信号にグループコードを付加することを特徴とする請求項１に記載のマルチキャリア送信装置。
【請求項４】
前記グループコード付加手段は、フレーム先頭部分及びフレーム末尾部分の双方に配置されるパイロット信号にグループコードを付加し、１シンボル長の半分の長さのスクランブルコードをパイロット信号に乗算すると共に、フレーム検出用サブキャリアとスクランブルコードグループ検出用サブキャリアとを同じコードでスクランブルすることを特徴とする請求項１から請求項３のいずれかに記載のマルチキャリア送信装置。
【請求項５】
前記グループコードは、直交していることを特徴とする請求項１から請求項４のいずれかに記載のマルチキャリア送信装置。
【請求項６】
パイロット信号が配置される一シンボル周期分のサブキャリアのうち、半分のサブキャリアに配置され、かつ、予めグループ分けされたスクランブルコードのグループを同定するグループコードが付加されたパイロット信号を含むマルチキャリア信号を受信する受信手段と、
グループコードが付加されたサブキャリアとは異なるサブキャリアを用いて、前記受信手段によって受信されたマルチキャリア信号のフレームタイミングを検出する第１検出手段と、
グループコードが付加されたサブキャリアを用いてスクランブルコードグループを検出する第２検出手段と、
前記第２検出手段によって検出されたスクランブルコードグループに基づいて、前記マルチキャリア信号のスクランブルコードを同定する同定手段と、
を具備することを特徴とするマルチキャリア受信装置。
【請求項７】
パイロット信号が配置される一シンボル周期分のサブキャリアのうち、半分のサブキャリアに配置され、かつ、予めグループ分けされたスクランブルコードのグループを同定するグループコードが付加されたパイロット信号を含むマルチキャリア信号を受信する受信工程と、
グループコードが付加されたサブキャリアとは異なるサブキャリアを用いて、前記受信手段によって受信されたマルチキャリア信号のフレームタイミングを検出する第１検出工程と、
グループコードが付加されたサブキャリアを用いてスクランブルコードグループを検出する第２検出工程と、
前記第２検出工程で検出されたスクランブルコードグループに基づいて、前記マルチキャリア信号のスクランブルコードを同定する同定手段と、
を具備することを特徴とする同期検出方法。
【発明の詳細な説明】
【技術分野】
【０００１】
本発明は、マルチキャリア送信装置、マルチキャリア受信装置及び同期検出方法に関する。
【背景技術】
【０００２】
近年、無線通信、特に移動体通信では、音声以外に画像やデータなどの様々な情報が伝送の対象になっている。今後は、多様なコンテンツの伝送に対する需要がますます高くなることが予想されるため、高信頼かつ大容量で高速な伝送に対する必要性がさらに高まることが予想される。しかしながら、移動体通信において高速伝送を行う場合、マルチパスによる遅延波の影響が無視できなくなり、周波数選択性フェージングにより伝送特性が劣化する。
【０００３】
そこで、周波数選択性フェージング対策技術の一つとして、ＯＦＤＭ（Orthogonal Frequency Division Multiplexing）方式などのマルチキャリア（ＭＣ）変調方式が注目されている。マルチキャリア変調方式は、周波数選択性フェージングが発生しない程度に伝送速度が抑えられた複数の搬送波（サブキャリア）を用いてデータを伝送することにより、結果的に高速伝送を行う技術である。特に、ＯＦＤＭ方式は、データが配置される複数のサブキャリアが相互に直交しているため、マルチキャリア変調方式の中で最も周波数利用効率が高い方式であり、また、比較的簡単なハードウエア構成で実現できることから、とりわけ注目されている。
【０００４】
また、周波数選択性フェージング対策の別の技術として、ＣＤＭＡ（Code Division Multiple Access）方式などのスペクトル拡散方式がある。特に、ＣＤＭＡ方式は、各ユーザの情報を各ユーザに固有の拡散符号で周波数軸上に直接拡散して拡散利得を得ることによって耐干渉性を高める技術であり、移動体通信において、現在、既に実用化されている。
【０００５】
そして、最近、より高速な伝送を実現するためのアクセス方式として、ＯＦＤＭ方式とＣＤＭＡ方式を組み合わせた方式（ＭＣ（マルチキャリア）−ＣＤＭＡ方式ともＯＦＤＭ−ＣＤＭＡ方式とも呼ばれるが、ここでは「マルチキャリアＣＤＭＡ方式」と呼ぶことにする）が特に注目されている。なお、マルチキャリアＣＤＭＡ方式には、大別して、拡散後のチップが各サブキャリアにおいて時間軸上に配置される時間方向拡散と、拡散後のチップが各時間において周波数軸上に配置される周波数方向拡散とがある。前者の場合、パスダイバーシチ効果は得られるが、周波数ダイバーシチ効果は得られず、逆に、後者の場合、周波数ダイバーシチ効果は得られるが、パスダイバーシチ効果は得られない。
【０００６】
ここで、周波数方向拡散を行うマルチキャリアＣＤＭＡ方式について簡単に説明する。マルチキャリアＣＤＭＡ方式では、信号が複数の搬送波（サブキャリア）に分配して送信される。具体的には、送信信号が拡散符号により周波数方向に拡散され、コード多重される。コード多重された信号は、サブキャリア数分の並列信号にシリアル／パラレル変換される。
【０００７】
また、マルチキャリアＣＤＭＡ方式では、各サブキャリアが直交信号になるようにＯＦＤＭ変調される。すなわち、シリアル／パラレル変換後の並列信号は、ＩＦＦＴ処理を経て送信される。ＩＦＦＴ処理により、ＯＦＤＭ信号は、各サブキャリア間で信号が直交した状態を保つことができる。ここで、信号が直交するとは、あるサブキャリアの信号のスペクトルが他の周波数の信号に影響を与えないことを意味する。ＯＦＤＭ変調を行う際は、ＯＦＤＭシンボルにガードインターバルを挿入する。ガードインターバルの挿入により、ガードインターバル長よりも短い遅延波しか存在しない場合、各サブキャリア間の直交性を保つことが可能になる。
【０００８】
このようなマルチキャリアＣＤＭＡ方式におけるセルサーチ法として、例えば、特許文献１に記載された技術が知られている。以下、特許文献１に記載された３段階セルサーチ方法について説明する。
【０００９】
３段階セルサーチの第１段階では、シンボル境界が検出される。これは、例えば、ガードインターバル区間と有効シンボル区間から生じる相関値のピークを検出することにより行われる。
【００１０】
次に、第２段階では、フレーム境界の検出とスクランブルコードグループの検出が同時に行われる。すなわち、フレーム境界を検出するため、図９に示すように、フレーム先頭とフレーム末尾に付加されたＰＬＣＨを用いて相関をとる。ここで、フレーム先頭とフレーム末尾の基本パターンは同じものとし、フレーム先頭又はフレーム末尾のＰＬＣＨには、スクランブルコードグループを識別するための位相差を設けてスクランブルコードが乗算されている。
【００１１】
第２段階の具体的な処理としては、スクランブルコードグループに対応させて位相シフト（図９では、Ｌシンボル分の位相シフト）を行った隣接シンボル間での相関値を取得する。この処理を（１フレームのシンボル数）×（スクランブルコードグループ数）だけ行い、最大の相関値が得られるシンボルとスクランブルコードグループとを同時に検出する。
【００１２】
そして、第３段階では、第２段階で検出されたスクランブルコードグループの中からスクランブルコードが検出される。
【特許文献１】特開２００３−２４４７６３号公報
【発明の開示】
【発明が解決しようとする課題】
【００１３】
しかしながら、特許文献１に記載されたセルサーチ方法では、第２段階においてフレーム同期とスクランブルコードグループとを同時に検出するため、（１フレームのシンボル数）×（スクランブルグループ数）の相関処理が必要となり、演算量が増大してしまう。
【００１４】
本発明はかかる点に鑑みてなされたものであり、セルサーチに要する演算量を削減するマルチキャリア送信装置、マルチキャリア受信装置及び同期検出方法を提供することを目的とする。
【課題を解決するための手段】
【００１５】
本発明のマルチキャリア送信装置は、セルを識別するスクランブルコードを送信フレームに乗算するスクランブリング手段と、予めスクランブルコードがグループ分けされ、前記スクランブリング手段で用いられたスクランブルコードのグループを同定するグループコードを、パイロット信号が配置される一シンボル周期分のサブキャリアのうち、半分のサブキャリアに配置されるパイロット信号に付加するグループコード付加手段と、前記グループコード付加手段によってグループコードが付加されたパイロット信号を含むマルチキャリア信号を送信する送信手段と、を具備する構成を採る。
【００１６】
本発明のマルチキャリア送信装置は、上記構成において、前記グループコード付加手段が、パイロット信号が配置される一シンボル周期分のサブキャリアのうち、前半分又は後半分のサブキャリアに配置されるパイロット信号にグループコードを付加する構成を採る。
【００１７】
これらの構成によれば、半分のサブキャリアに配置されるパイロット信号にグループコードを付加することにより、グループコードが付加されていないサブキャリアでフレームタイミングを検出し、グループコードが付加されたサブキャリアでスクランブルコードグループを検出するため、フレームタイミングの検出とスクランブルコードグループの検出とを分離することができ、これらに要する相関処理を大幅に削減することができる。
【００１８】
本発明のマルチキャリア送信装置は、上記構成において、前記グループコード付加手段が、パイロット信号が配置される一シンボル周期分のサブキャリアのうち、１本又は複数本間隔のサブキャリアに配置されるパイロット信号にグループコードを付加する構成を採る。
【００１９】
この構成によれば、周波数選択性フェージングによって一部のサブキャリアの受信品質が劣化しても、残りのサブキャリアによって精度よくフレーム同期の検出及びスクランブルコードグループの同定を行うことができる。
【００２０】
本発明のマルチキャリア送信装置は、上記構成において、前記グループコード付加手段が、フレーム先頭部分及びフレーム末尾部分の双方に配置されるパイロット信号にグループコードを付加し、１シンボル長の半分の長さのスクランブルコードをパイロット信号に乗算すると共に、フレーム検出用サブキャリアとスクランブルコードグループ検出用サブキャリアとを同じコードでスクランブルする構成を採る。
【００２１】
この構成によれば、グループコードが付加されたパイロット信号を１フレーム内で増やすことになるので、スクランブルコードグループの同定精度を向上させることができる。
【００２２】
本発明のマルチキャリア送信装置は、上記構成において、前記グループコードが、直交している構成を採る。
【００２３】
この構成によれば、グループコードが直交しているため、他のグループコードとの干渉を低減することができ、スクランブルコードグループの検出精度を向上させることができる。
【００２４】
本発明のマルチキャリア受信装置は、パイロット信号が配置される一シンボル周期分のサブキャリアのうち、半分のサブキャリアに配置され、かつ、予めグループ分けされたスクランブルコードのグループを同定するグループコードが付加されたサブキャリアを含むマルチキャリア信号を受信する受信手段と、グループコードが付加されたサブキャリアとは異なるサブキャリアを用いて、前記受信手段によって受信されたマルチキャリア信号のフレームタイミングを検出する第１検出手段と、グループコードが付加されたサブキャリアを用いてスクランブルコードグループを検出する第２検出手段と、前記第２検出手段によって検出されたスクランブルコードグループに基づいて、前記マルチキャリア信号のスクランブルコードを同定する同定手段と、を具備する構成を採る。
【００２５】
この構成によれば、半分のサブキャリアに配置されるパイロット信号にグループコードが付加されたマルチキャリア信号を受信し、グループコードが付加されたサブキャリアとは異なるサブキャリアを用いてフレームタイミングを検出し、グループコードが付加されたサブキャリアを用いてスクランブルコードグループの検出することにより、フレームタイミングの検出とスクランブルコードグループの検出とを分離することができ、これらに要する相関処理を大幅に削減することができる。
【００２６】
本発明の同期検出方法は、パイロット信号が配置される一シンボル周期分のサブキャリアのうち、半分のサブキャリアに配置され、かつ、予めグループ分けされたスクランブルコードのグループを同定するグループコードが付加されたパイロット信号を含むマルチキャリア信号を受信する受信工程と、グループコードが付加されたサブキャリアとは異なるサブキャリアを用いて、前記受信手段によって受信されたマルチキャリア信号のフレームタイミングを検出する第１検出工程と、グループコードが付加されたサブキャリアを用いてスクランブルコードグループを検出する第２検出工程と、前記第２検出工程で検出されたスクランブルコードグループに基づいて、前記マルチキャリア信号のスクランブルコードを同定する同定手段と、を具備するようにした。
【００２７】
この方法によれば、半分のサブキャリアに配置されるパイロット信号にグループコードが付加されたマルチキャリア信号を受信し、グループコードが付加されたサブキャリアとは異なるサブキャリアを用いてフレームタイミングを検出し、グループコードが付加されたサブキャリアを用いてスクランブルコードグループの検出をすることにより、フレームタイミングの検出とスクランブルコードグループの検出とを分離することができ、これらに要する相関処理を大幅に削減することができる。
【発明の効果】
【００２８】
本発明によれば、セルサーチに要する演算量を削減するマルチキャリア送信装置、マルチキャリア受信装置及び同期検出方法を提供することができる。
【発明を実施するための最良の形態】
【００２９】
以下、本発明の実施の形態について、図面を参照して詳細に説明する。
【００３０】
（実施の形態１）
本発明の実施の形態１に係るマルチキャリア送信装置１００は、図１に示すように、送信データを符号化部１０１で符号化し、符号化された送信データを変調部１０２で変調し、変調された送信データを拡散部１０３で固有の拡散コードを用いて拡散する。拡散された送信データは、チップ単位に分割されており、グループコード付加部１０４に出力される。
【００３１】
グループコード付加部１０４は、図２に示すように、後述するスクランブリング部１０７で用いるスクランブルコードのグループを同定するためのスクランブリングコードグループ同定用コード（以下、「グループコード」という）を、ＰＬＣＨが配置されるフレーム末尾部分の２Ｎサブキャリアのうち後半Ｎサブキャリア（周波数の高いサブキャリア群）のシンボル系列に乗算することにより、ＰＬＣＨにグループコードを付加する。これにより、ＰＬＣＨが配置される２Ｎサブキャリアの前半Ｎサブキャリア（周波数の低いサブキャリア群）をフレーム同定用サブキャリアとし、後半Ｎサブキャリアをグループ同定用サブキャリアとする。
【００３２】
ＰＬＣＨ多重部１０５は、グループコードが付加されていないサブキャリアを有するＰＬＣＨをフレーム先頭部分にし、グループコードが付加されたサブキャリアを有するＰＬＣＨをフレーム末尾部分にして、ＴＣＨ（Traffic Channel）と共にフレーム組み立て部１０６に出力する。
【００３３】
フレーム組み立て部１０６は、ＰＬＣＨ多重部１０５から出力された送信データを周波数軸上及び時間軸上の所定の位置に配置する（フレームの組み立て）。組み立てられたフレームは、スクランブリング部１０７に出力される。
【００３４】
スクランブリング部１０７は、セルを識別するためのスクランブルコードを用いて、組み立てられたフレーム全体にスクランブルをかける。スクランブルがかけられたフレームは、ＩＦＦＴ部１０８に出力される。
【００３５】
ＩＦＦＴ部１０８は、ＰＬＣＨが多重されたフレーム（送信信号）を逆高速フーリエ変換（ＩＦＦＴ）して周波数領域から時間領域に変換し、ガードインターバル挿入部１０９に出力する。
【００３６】
ガードインターバル挿入部１０９は、遅延に対する特性を改善するために、ＩＦＦＴ部１０８の出力信号にガードインターバルを挿入する。ガードインターバルは、シンボル毎に、有効シンボル区間の末尾を該当シンボルの先頭にコピーして挿入することで実現される。
【００３７】
ガードインターバル挿入後の信号は、無線送信部１１０で、アップコンバートなどの無線処理が施された後、アンテナ１１１から無線送信される。
【００３８】
マルチキャリア送信装置１００から送信される信号のフレーム構成は、図３に示すように、周波数軸（ｆ）、時間軸（ｔ）及び拡散コード数軸（ｃ）からなる３次元のフレーム構成であり、周波数軸と時間軸の２次元平面上で見た図を図４に示す。これらの図からも分かるように、フレーム先頭部分にグループコードが付加されていない２Ｎサブキャリア分のＰＬＣＨが配置され、フレーム末尾部分にグループコードが付加されていない前半Ｎサブキャリア分のＰＬＣＨ、すなわち、フレーム同定用サブキャリアが、また、グループコードが付加された後半Ｎサブキャリア分のＰＬＣＨ、すなわち、グループ同定用のサブキャリアが配置されている。
【００３９】
本発明の実施の形態１に係るマルチキャリア受信装置２００は、図５に示すように、マルチキャリア送信装置１００から無線送信された信号をアンテナ２０１で受信して、受信した信号を無線受信部２０２に出力する。
【００４０】
無線受信部２０２は、アンテナ２０１で受信された信号に対してダウンコンバートなどの所定の無線処理を施す。無線処理が施された信号（ベースバンド信号）はＦＦＴタイミング検出部２０３に出力される。
【００４１】
そして、ＦＦＴタイミング検出部２０３からスクランブルコード群記憶部２１２までの各部２０３〜２１２において、セルサーチが実行される。具体的には、ＦＦＴタイミング検出部２０３及びＦＦＴ処理部２０４が、第１段階としてシンボル同期の取得に寄与し、相関値検出部２０６及びフレームタイミング検出部２０７が、第２段階としてフレーム同期の取得に寄与し、グループ同定用サブキャリア抽出部２０８、グループコード記憶部２０９、相関値検出部２１０、及びスクランブルコードグループ検出部２１１が、第３段階としてスクランブルコードの同定（その１）、すなわち、スクランブルコードグループの同定に寄与し、スクランブルコード群記憶部２１２及びスクランブルコード同定部２１３が、第４段階としてスクランブルコードの同定（その２）に寄与する。要するに、ここでは、ＰＬＣＨが配置されたフレーム同定用サブキャリアを用いてフレーム同期を取得し、グループ同定用サブキャリアを用いてスクランブルコードグループの同定を行い、そのグループの中に含まれるスクランブルコードでそれぞれ相関値を検出し、スクランブルコードの同定を行う。
【００４２】
以下、第１段階から第４段階の処理について詳細に説明する。
【００４３】
（１）第１段階：シンボル同期
ＦＦＴタイミング検出部２０３は、受信信号のガードインターバル区間と有効シンボル区間の末尾の部分を有効シンボル区間長にわたり相関値を検出し、最大相関値出力を検出したタイミングをＦＦＴウィンドウタイミングとしてＦＦＴ処理部２０４に通知する。
【００４４】
ＦＦＴ処理部２０４は、ＦＦＴタイミング検出部２０３で検出されたＦＦＴウィンドウタイミングで受信信号にＦＦＴ処理を行い、ＦＦＴ処理を行った受信信号をガードインターバル除去部２０５に出力する。ＦＦＴ処理された信号はガードインターバル除去部２０５でガードインターバルが除去され、相関値検出部２０６に出力される。
【００４５】
（２）第２段階：フレーム同期
相関値検出部２０６は、ガードインターバルが除去された信号のうち、前半Ｎサブキャリアの受信シンボル系列と、１シンボル周期分遅延させた前半Ｎサブキャリアの受信シンボル系列との間において、相関値を検出する。検出された相関値はフレームタイミング検出部２０７に出力される。
【００４６】
フレームタイミング検出部２０７は、相関値検出部２０６から出力された相関値のうち最大相関値を検出したタイミングをフレームタイミングとする。
【００４７】
（３）第３段階：スクランブルコードの同定（その１）
グループ同定用サブキャリア抽出部２０８は、フレームタイミング検出部２０７で検出されたフレームタイミングからフレーム先頭及びフレーム末尾が分かるので、フレーム先頭及びフレーム末尾に配置されたＰＬＣＨのサブキャリアも分かる。グループ同定用サブキャリア抽出部２０８は、フレーム末尾部分に相当する２Ｎサブキャリアのうち後半のＮサブキャリア、すなわち、グループ同定用サブキャリアを抽出する。
【００４８】
グループコード記憶部２０９には、全てのグループコードが記憶されており、相関値検出部２１０は、グループコード記憶部２０９に記憶されている全てのグループコードと、グループ同定用サブキャリア抽出部２０８で隣接するＰＬＣＨから抽出されたグループコードとの相関をとり、各グループコードの相関値を検出する。なお、グループコードは直交していることが望ましく、直交していることにより、他のグループコードとの干渉を低減することができ、スクランブルコードグループの検出精度を向上させることができる。
【００４９】
スクランブルコードグループ検出部２１１は、相関値検出部２１０で検出された最大相関値のグループコードを検出し、スクランブルコードグループの同定を行う。
【００５０】
（４）第４段階：スクランブルコードの同定（その２）
スクランブルコード群記憶部２１２には、全てのスクランブルコードがスクランブルコードグループに対応付けて記憶されており、スクランブルコード同定部２１３は、第３段階で検出されたスクランブルコードグループの中に含まれるスクランブルコード毎に、時間多重されたＰＬＣＨを用いて相関を検出し、最大相関値を検出したスクランブルコードを同定する。
【００５１】
以上のようにしてスクランブルコードの同定が完了すると、デスクランブリング部２１４で、同定されたスクランブルコードを用いてセルの識別を行う。デスクランブルされた信号は、チャネル推定部２１５に出力される。
【００５２】
チャネル推定部２１５は、デスクランブルされた信号を用いてチャネル推定を行う。そして、順次、逆拡散部２１６で、送信時と同じ拡散コードを用いて受信データを逆拡散し、復調部２１７で、逆拡散後の受信データを復調し、復号化部２１８で、復調後の受信データを復号化して、所望の受信データを取得する。
【００５３】
次に、上記構成を有するマルチキャリア受信装置２００の動作について第２段階及び第３段階を中心に図６を用いて説明する。第２段階では、相関値検出部２０６において、前半Ｎサブキャリアの受信シンボル系列と、１シンボル周期分遅延させた前半Ｎサブキャリアの受信シンボル系列との間で相関値が検出される。フレームタイミング検出部２０７では、相関値検出部２０６において最大相関値として検出されたタイミングがフレームタイミングとして検出される。
【００５４】
フレームタイミングが検出されることにより、図３及び図４に示すフレーム構成に基づいてＰＬＣＨの配置位置が分かる。すなわち、ＰＬＣＨが配置されたフレーム末尾部分の２Ｎサブキャリアのうち後半Ｎサブキャリア（グループ同定用サブキャリア）がグループ同定用サブキャリア抽出部２０８で抽出される。
【００５５】
抽出されたグループ同定用サブキャリアは、隣接するＰＬＣＨからグループコードが抽出され、グループコード記憶部２０９に記憶された全てのグループコードとの相関が相関値検出部２１０で検出され、最大相関値が検出されたグループコードからスクランブルコードグループがスクランブルコードグループ検出部２１１で検出される。
【００５６】
これにより、フレーム同期の取得とスクランブルコードグループの同定とを別々の処理として扱うことができ、これらの処理に要する相関処理を大幅に削減することができる。
【００５７】
このように実施の形態１によれば、ＰＬＣＨが配置されるフレーム末尾部分の２Ｎサブキャリアのうち後半Ｎサブキャリアのシンボル系列にグループコードを乗算し、前半Ｎサブキャリアをフレーム同定用とし、後半Ｎサブキャリアをグループ同定用とすることにより、フレーム同期の取得とスクランブルコードグループの同定に要する相関処理を大幅に削減することができるので、セルサーチに要する演算量を削減することができる。
【００５８】
なお、本実施の形態では、ＰＬＣＨが配置される２Ｎサブキャリアのうち後半Ｎサブキャリアのシンボル系列にグループコードを乗算する場合について説明したが、本発明はこれに限らず、前半Ｎサブキャリアに乗算するようにしてもよい。この場合、前半Ｎサブキャリアがグループ同定用として、後半Ｎサブキャリアがフレーム同定用として処理されることになる。
【００５９】
（実施の形態２）
実施の形態１では、フレーム同定用サブキャリアとグループ同定用サブキャリアをＰＬＣＨが配置されるサブキャリアの前半と後半に分ける場合について説明したが、本発明の実施の形態２では、フレーム同定用サブキャリアとグループ同定用サブキャリアをＰＬＣＨが配置されるサブキャリアに交互に配置する場合について説明する。なお、本発明の実施の形態２に係るマルチキャリア受信装置及びマルチキャリア送信装置の構成は実施の形態１と同様なので、図１及び図５を援用して説明する。
【００６０】
マルチキャリア送信装置１００におけるグループコード付加部１０４は、図７に示すように、スクランブリング部１０７で用いられたスクランブルコードのグループを同定するためのグループコードをＮ個に分割し、分割したグループコードのそれぞれをＰＬＣＨが配置される２ＮサブキャリアのＮサブキャリア分のシンボル系列に等間隔に乗算することにより、ＰＬＣＨにグループコードを付加する。これにより、ＰＬＣＨが配置される２Ｎサブキャリアにフレーム同定用サブキャリアとグループ同定用サブキャリアとが１サブキャリアずつ交互に配置されることになる。
【００６１】
このようなＰＬＣＨを含む送信信号は、実施の形態１で説明したマルチキャリア受信装置によってセルサーチが行われ、受信データが取得される。
【００６２】
このように実施の形態２によれば、ＰＬＣＨが配置されるフレーム末尾部分の２Ｎサブキャリアにフレーム同定用サブキャリアとグループ同定用サブキャリアとを１サブキャリアずつ交互に配置することにより、周波数選択性フェージングによって一部のサブキャリアの受信品質が劣化しても、残りのサブキャリアによって精度よくフレーム同期の検出及びスクランブルコードグループの同定を行うことができる。
【００６３】
なお、上述した実施の形態１及び実施の形態２では、グループ同定用サブキャリアをフレーム末尾部分に配置する場合について説明したが、図８（ａ）及び８（ｂ）に示すように、グループ同定用サブキャリアをフレーム先頭部分とフレーム末尾部分の双方に配置してもよい。このとき、ＰＬＣＨに乗算するスクランブルコード長を１シンボル長の半分の長さとし、フレーム同定用サブキャリアとグループ同定用サブキャリアには同じスクランブルコードを掛けるものとする。このように、グループ同定用サブキャリアをフレーム先頭部分とフレーム末尾部分の双方に配置することにより、グループコードが付加されたパイロットシンボル系列を１フレーム当たりで増やすことになるので、スクランブルコードグループの同定精度を向上させることができる。
【産業上の利用可能性】
【００６４】
本願発明にかかるマルチキャリア送信装置、マルチキャリア受信装置及び同期検出方法は、セルサーチに要する演算量を削減するという効果を有し、例えば、基地局装置、移動局装置及びマルチキャリア無線通信システムに適用することができる。
【図面の簡単な説明】
【００６５】
【図１】本発明の実施の形態１及び２に係るマルチキャリア送信装置の構成を示すブロック図
【図２】フレーム同定用サブキャリア及びグループ同定用サブキャリアの説明に供する図
【図３】図１に示すマルチキャリア送信装置から送信される信号のフレーム構成を示す図
【図４】図３に示す３次元フレーム構成を２次元平面上で見た図
【図５】本発明の実施の形態１及び２に係るマルチキャリア受信装置の構成を示すブロック図
【図６】図５に示すマルチキャリア受信装置の動作を示す概念図
【図７】フレーム同定用サブキャリア及びグループ同定用サブキャリアの説明に供する図
【図８】フレーム同定用サブキャリア及びグループ同定用サブキャリアの配置図
【図９】特許文献１に記載されたセルサーチ方法の説明に供する図
【符号の説明】
【００６６】
１０１  符号化部
１０２  変調部
１０３  拡散部
１０４  グループコード付加部
１０５  ＰＬＣＨ多重部
１０６  フレーム組み立て部
１０７  スクランブリング部
１０８  ＩＦＦＴ部
１０９  ガードインターバル挿入部
１１０  無線送信部
１１１、２０１  アンテナ
２０２  無線受信部
２０３  ＦＦＴタイミング検出部
２０４  ＦＦＴ処理部
２０５  ガードインターバル除去部
２０６、２１０  相関値検出部
２０７  フレームタイミング検出部
２０８  グループ同定用サブキャリア抽出部
２０９  グループコード記憶部
２１１  スクランブルコードグループ検出部
２１２  スクランブルコード群記憶部
２１３  スクランブルコード同定部
２１４  デスクランブリング部
２１５  チャネル推定部
２１６  逆拡散部
２１７  復調部
２１８  復号化部
【図１】
2006074244.tif 000003
【図２】
2006074244.tif 000004
【図３】
2006074244.tif 000005
【図４】
2006074244.tif 000006
【図５】
2006074244.tif 000007
【図６】
2006074244.tif 000008
【図７】
2006074244.tif 000009
【図８】
2006074244.tif 000010
【図９】
2006074244.tif 000011